(57)【要約】【課題】ビルトイン電子レンジの加熱室を保持する底板の直下に収納保温庫を設け、収納保温庫収納保温庫の高さを、加熱室の高さと同等か、または高くすること。【解決手段】加熱室４と、収納保温庫６とを備え、収納保温庫６の高さｂを、加熱室４の高さａと同等か、または高くすることにより、調理容器３が収納保温庫に収納できるので、調理した食品を調理容器３のままビルトイン電子レンジの収納保温庫６に保存したり、食べ終わって調理容器３を洗浄乾燥した後には、調理容器３を電子レンジの直下に収納することができるので、ケーキやクッキー、またはオーブン煮込み料理など、調理容器３を使用する料理においても、わざわざ調理容器３を探し出す不便さを解消でき、ビルトイン電子レンジが有する、あたため再加熱以外の豊富な機能を使い易くすることができる。【選択図】図１
2011064368.tif 000002
【特許請求の範囲】
【請求項１】
キャビネット内に配置されるビルトイン電子レンジにおいて、被加熱物を収容する加熱室と、前記加熱室の開口面に開閉自在に設けたドアと、前記被加熱物を加熱するヒータと、前記加熱室内に高周波を供給する高周波発生部と、装置の制御をする制御基板を内包した制御部と、前記加熱室を保持する底板と、前記底板の直下に収納保温庫を備え、前記収納保温庫は引き出し可能で、かつ前記収納保温庫の高さを前記加熱室の高さと同等か、または高くしたビルトイン電子レンジ。
【請求項２】
前記収納保温庫の側壁と底壁の内側に断熱材を配し、前記底板と前期収納保温庫の間に断熱板を配置した請求項１に記載のビルトイン電子レンジ。
【請求項３】
前記収納保温庫の側壁と底壁の外側に断熱材を配し、前記底板と前期収納保温庫の間に断熱板を配置した請求項１に記載のビルトイン電子レンジ。
【請求項４】
前記断熱材は、断熱塗料を側壁と底壁の外側に塗布して構成した請求項３項に記載のビルトイン電子レンジ。
【発明の詳細な説明】
【技術分野】
【０００１】
本発明は、電磁調理器、ガスコンロ、食器洗浄乾燥機、電子レンジのような、単独の機器として、あるいは組合せ機器としてキャビネット内に組み込まれるビルトイン電子レンジに関するものである。
【背景技術】
【０００２】
図５は、特許文献１に記載された従来のビルトイン電子レンジを示すものである。図５に示すように、６０はビルトインタイプの従来装置、６１は電磁調理器、６２はビルトイン電子レンジ、６３は支持台である。電磁調理器６１は加熱コイル部６１ａとグリル部６１ｂとから構成されている。ビルトイン電子レンジ６２は、制御部６２Ｃと、ドア６２ｂを備えている。
【先行技術文献】
【特許文献】
【０００３】
【特許文献１】特開２００５−００３３１６号公報
【発明の概要】
【発明が解決しようとする課題】
【０００４】
しかしながら、前記従来の構成では、キャビネット内でのビルトイン電子レンジ６２の占有する空間が大きいので、ケーキ型やオーブン皿、オーブン鍋などの調理容器を収納する場所がとれない。そのため、ビルトイン電子レンジ６２で使用する調理容器を身近に保管できず、調理する上で不便な為に身近にない調理容器を使用する調理そのものをしなくなり、結局、ビルトイン電子レンジ６２は、そのあたため再加熱機能しか使用しなくなるといった課題を有していた。
【０００５】
本発明は、前記従来の課題を解決するもので、調理容器を身近に保管でき、あたため再加熱機能以外の多様な機能を使いやすくするビルトイン電子レンジを提供することを目的とする。
【課題を解決するための手段】
【０００６】
前記従来の課題を解決するために、本発明のビルトイン電子レンジは、加熱室を保持する底板の直下に収納保温庫を備え、収納保温庫は引き出し可能で、かつ収納保温庫の高さを電子レンジの加熱室の高さと同等か、または高くしたものである。
【０００７】
これによって、電子レンジで使用する調理容器を身近な収納保温庫に保管できるので、ケーキやクッキー、またはオーブン煮込み料理など、あたため再加熱機能以外のビルトイン電子レンジの有する機能を容易に使いこなせることとなる。
【０００８】
また、本発明のビルトイン電子レンジは、収納保温庫の側壁と底壁の内側ないしは外側に断熱材を配し、電子レンジの底板と収納保温庫の間に断熱板を配置したものである。
【０００９】
これによって、ビルトイン電子レンジで調理した食品を、調理容器のまま収納保温庫に保存しておくことが出来る。
【発明の効果】
【００１０】
本発明のビルトイン電子レンジは、電子レンジで使用する調理容器を身近に保管できるので、ケーキやクッキー、またはオーブン煮込み料理など、あたため再加熱機能以外のビ
ルトイン電子レンジの有する機能を使い易くするとともに、調理した食品を調理容器のまま収納保温庫に保存しておくことが出来て食品の温度が保たれるので、食べる際にはいつでも出来たての風味を味わうことができる。
【図面の簡単な説明】
【００１１】
【図１】本発明の実施の形態１におけるビルトイン電子レンジの斜視図
【図２】本発明の実施の形態２におけるビルトイン電子レンジの斜視図
【図３】本発明の実施の形態３におけるビルトイン電子レンジの斜視図
【図４】本発明の実施の形態４におけるビルトイン電子レンジの斜視図
【図５】従来のビルトイン電子レンジの斜視図
【発明を実施するための形態】
【００１２】
第１の発明は、被加熱物を収容する加熱室と、加熱室の開口面に開閉自在に設けたドアと、被加熱物を加熱するヒータと、加熱室内に高周波を供給する高周波発生部と、装置の制御をする制御基板を内包した制御部と、加熱室を保持する底板と、底板の直下に収納保温庫を備え、収納保温庫は引き出し可能で、かつ収納保温庫の高さを加熱室の高さと同等か、または高くすることにより、ビルトイン電子レンジで使用する調理容器を身近に保管できることになり、ケーキやクッキー、またはオーブン煮込み料理など、あたため再加熱機能以外のビルトイン電子レンジの有する機能を使い易くすることができる。
【００１３】
第２の発明は、第１の発明において特に、収納保温庫の側壁と底壁の内側に断熱材を配し、底板と収納保温庫の間に断熱板を配置することにより、収納保温庫の断熱性が向上して食品の温度が保たれるので、食べる際には出来たての風味を味わうことができる。
【００１４】
第３の発明は、第１の発明において特に、収納保温庫の側壁と底壁の外側に断熱材を配し、底板と収納保温庫の間に断熱板を配置することにより、収納する容器や食品が断熱材と接触することがなくなるので、収納保温庫の断熱性と清掃性を損ねることなく容器や食品を収納できる。
【００１５】
第４の発明は、第３の発明において特に、断熱材を断熱塗料で構成し、この断熱塗料を側壁と底壁の外側に塗布することにより、断熱材の固定に別部材や粘着テープなどの接着剤を用いる必要がなくなるので、手間も省けて安価な収納保温庫を作ることができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態におけるビルトイン電子レンジの斜視図を示すものである。
【００１８】
図１において、１はビルトイン電子レンジ、２は被加熱物、３は調理容器、４は被加熱物２を収容する加熱室、５は加熱室４の開口面に開閉自在に設けたドア、６は収納保温庫である。
【００１９】
以上のように構成されたビルトイン電子レンジについて、以下その動作、作用を説明する。
【００２０】
まず、収納保温庫６の高さｂは、加熱室４の高さａと同等か、または高くしているので、ビルトイン電子レンジ１で使用する調理容器３を収納保温庫６に収納できる。
【００２１】
以上のように、本実施の形態においては、収納保温庫６の高さｂを、加熱室４の高さａと同等か、または高くすることにより、ビルトイン電子レンジ１で使用する調理容器３を収納保温庫６に収納できるので、調理した食品を調理容器３のまま、ビルトイン電子レンジ１の収納保温庫６に保存したり、食べ終わって調理容器３を洗浄乾燥した後には、調理容器３をビルトイン電子レンジ１の直下に収納したりできるので、ケーキやクッキー、またはオーブン煮込み料理などの調理容器３を使用する料理においても、わざわざ調理容器３を探し出す不便さが解消できるので、ビルトイン電子レンジ１の有する機能、すなわち、あたため再加熱以外の豊富な機能を使い易くすることができる。
【００２２】
（実施の形態２）
図２は、本発明の第２の実施の形態のおけるビルトイン電子レンジの斜視図である。
【００２３】
図２において、７は加熱室４を保持する底板、６は収納保温庫、８は底板７と収納保温庫６の間に配置した断熱板、９は収納保温庫６の側壁と底壁の内側に配置した断熱材である。
【００２４】
以上のように構成されたビルトイン電子レンジについて、以下その動作、作用を説明する。
【００２５】
まず、底板７と収納保温庫６との間に断熱板８を配置して、かつ収納保温庫６の側壁と底壁の内側に断熱材９を配置しているので、収納保温庫６の断熱性が向上する。
【００２６】
以上のように、本実施の形態においては、底板７と収納保温庫６との間に断熱板８を配置して、かつ収納保温庫６の側壁と底壁の内側に断熱材９を配置し、かつ収納保温庫６の側壁と底壁の内側に断熱材９を配置することにより、収納保温庫６の断熱性が向上するので、調理終了後の食品を収納保温庫６に保存すると食品の温度が保たれ、食べる際には出来たての風味を味わうことができる。
【００２７】
（実施の形態３）
図３は、本発明の第３の実施の形態のおけるビルトイン電子レンジの斜視図である。
【００２８】
図３において、７は加熱室４を保持する底板、６は収納保温庫、８は底板７と収納保温庫６の間に配置した断熱板、９は収納保温庫６の側壁と底壁の外側に配置した断熱材である。
【００２９】
以上のように構成されたビルトイン電子レンジについて、以下その動作、作用を説明する。
【００３０】
まず、底板７と収納保温庫６との間に断熱板８を配置して、かつ収納保温庫６の側壁と底壁の外側に断熱材９を配置しているので、収納保温庫６の断熱性が向上する。
【００３１】
以上のように、本実施の形態においては、底板７と収納保温庫６との間に断熱板８を配置して、かつ収納保温庫６の側壁と底壁の内側に断熱材９を配置することにより、収納保温庫６の断熱性が向上するので、調理終了後の食品を収納保温庫６に保存すると食品の温度が保たれ、食べる際には出来たての風味を味わうことができる。また、収納する容器や食品が、断熱材９と接触することがなくなるので、収納保温庫６の断熱性と清掃性を損ねることなく容器や食品を収納できる。
【００３２】
（実施の形態４）
図４は、本発明の第４の実施の形態のおけるビルトイン電子レンジの斜視図である。
【００３３】
図４において、１０は収納保温庫６の側壁と底壁の外側に塗布した断熱塗料である。
【００３４】
以上のように構成されたビルトイン電子レンジについて、以下その動作、作用を説明する。
【００３５】
まず、底板７と収納保温庫６の間に断熱板８を配置して、かつ収納保温庫６の側壁と底壁の外側に断熱塗料１０を塗布しているので、収納保温庫６の断熱性が向上する。
【００３６】
以上のように、本実施の形態においては、底板７と収納保温庫６との間に断熱板８を配置して、かつ収納保温庫６の側壁と底壁の外側に断熱塗料を塗布することにより、収納保温庫６の断熱性が向上するので、調理終了後の食品を収納保温庫６に保存すると食品の温度が保たれ、食べる際には出来たての風味を味わうことができる。また、断熱材８の固定に別部材や粘着テープなどの接着剤を用いる必要がなくなるので、手間も省けて安価に収納保温庫６を作ることができる。
【産業上の利用可能性】
【００３７】
以上のように、本発明にかかるビルトイン電子レンジは、ビルトイン電子レンジで使用する調理容器を収納保温庫に収納できるので、調理した食品を調理容器のままビルトイン電子レンジの収納保温庫に保存することが可能となるのみではなく、調理容器を探し出す不便さが解消し使用勝手、すなわち作業効率が向上することが期待されるので、業務用の厨房機器等の用途にも適用できる。
【符号の説明】
【００３８】
１  ビルトイン電子レンジ
２  被加熱物
３  調理容器
４  加熱室
５  ドア
６  収納保温庫
７  底板
８  断熱板
９  断熱材
１０  断熱塗料
【図１】
2011064368.tif 000003
【図２】
2011064368.tif 000004
【図３】
2011064368.tif 000005
【図４】
2011064368.tif 000006
【図５】
2011064368.tif 000007